(57)【特許請求の範囲】
【請求項１】
隣り合う左右の窓枠の縦枠相互を方立で連結することで複数の窓枠を連設し、
この左右の窓枠の上枠上部に亘って無目を取付け、
この無目の上部に上の窓枠を取付けした連段窓であって、
前記左右の縦枠の室内外側方向の中間部と方立の室内外側方向の中間部を縦シール材でシールして左右の縦枠の室外側寄り部分と方立の室外側寄り部分との間に、排水用の縦空間を形成し、
前記左右の窓枠の上枠上面と無目下面との間における室内外側方向の中間部に中間部無目水密材を設け、
この中間部水密材と前記縦シール材が接し、
前記左右の縦枠の上端面と方立の上端面に亘って、少なくとも縦シール材よりも室外側寄りにおける排水用の縦空間以外の部分をシールする方立シーラーを設けたことを特徴とする連段窓。
【請求項２】
左右の窓枠の上枠上面と無目下面との間における室外側端部に、室外側部無目水密材を設けた請求項１記載の連段窓。
【発明の詳細な説明】
【技術分野】
【０００１】
本発明は、連窓の上に窓を組み合わせた連段窓に関する。
【背景技術】
【０００２】
特許文献１に開示された連窓が知られている。
この連窓は、左右の窓枠の縦枠相互を方立を用いて連結し、左右の縦枠の室外側面と方立との間を気密材で気密したものである。
特許文献２に開示された段窓が知られている。
この段窓は、上の窓枠の下枠と下の窓枠の上枠を連結材で連結し、その下枠と上枠との間をシール材でシールしたものである。
【０００３】
【特許文献１】特開２００１−２８０００５号公報
【特許文献２】特開平８−１９３４６７号公報
【発明の開示】
【発明が解決しようとする課題】
【０００４】
前述した連窓の上に窓を組み合わせて連段窓とした場合に、左右の窓枠の縦枠相互の連結部の上部と、上の窓枠の下枠との間の部分の水密性が不十分で、その部分から雨水等が室内側に浸入することがある。
特に、前述の連段窓の窓枠を工場などで組み立てし、建築現場に搬送して建物に取付け、前述の部分を乾式シール材を用いて水密するようにした場合、水密性を十分なものとして室内側に雨水等が浸入しないようにすることは困難である。
【０００５】
本発明の目的は、左右の窓枠の縦枠相互の連結部の上部と無目との間の部分から雨水等が室内側に浸入することがないようにした連段窓を提供することである。
【課題を解決するための手段】
【０００６】
本発明は、隣り合う左右の窓枠の縦枠相互を方立で連結することで複数の窓枠を連設し、
この左右の窓枠の上枠上部に亘って無目を取付け、
この無目の上部に上の窓枠を取付けした連段窓であって、
前記左右の縦枠の室内外側方向の中間部と方立の室内外側方向の中間部を縦シール材でシールして左右の縦枠の室外側寄り部分と方立の室外側寄り部分との間に、排水用の縦空間を形成し、
前記左右の窓枠の上枠上面と無目下面との間における室内外側方向の中間部に中間部無目水密材を設け、
この中間部水密材と前記縦シール材が接し、
前記左右の縦枠の上端面と方立の上端面に亘って、少なくとも縦シール材よりも室外側寄りにおける排水用の縦空間以外の部分をシールする方立シーラーを設けたことを特徴とする連段窓である。
【０００９】
本発明においては、左右の窓枠の上枠上面と無目下面との間における室外側端部に、室外側部無目水密材を設けることが好ましい。
【００１０】
このようにすれば、左右の縦枠相互の連結部の上部と無目との間に雨水等が流れ込むことが室外側部無目水密材によって低減する。
【発明の効果】
【００１１】
本発明によれば、左右の縦枠相互の連結部の上部と無目との間の部分に流れ込んだ雨水等は、中間部無目水密材によって室内側に流れることがなく、その雨水等は排水用の縦空間に流れ落ちて排水される。
したがって、左右の窓枠の縦枠相互の連結部と無目との間の部分から雨水等が室内側に浸入することがない。
また、方立シーラーを設けたことで、左右の縦枠相互の連結部の上部と無目との間に流れ込んだ雨水等は、排水用の縦空間に全て流れ落ちて確実に排水することができる。例えば、前述の連結部に排水用の縦空間以外の縦空間がある場合に、その縦空間に流れ落ちることがないので、その縦空間を通って室内側に流れ込むことがない。
【発明を実施するための最良の形態】
【００１２】
図１に示すように、左右の窓１の窓枠２は、上枠３と下枠４と左右の縦枠５を方形状に枠組みしてある。
左の窓枠２の縦枠５と右の窓枠２の縦枠５が方立１０で連結されて連窓としてある。なお、３つ以上の窓枠２を前述のように連結しても良い。つまり、隣り合う左右の窓枠２の縦枠相互を方立１０で連結することで複数の窓枠２を連設すれば良い。
前記左右の窓枠２の上枠３上部に亘って無目２０が取付けてある。この無目２０は左右の縦枠相互の連結部の上部を横切って左右に連続している。
この無目２０の上部に上の窓３０の窓枠３１を取付けて連段窓としてある。この窓枠３１は上枠３２と下枠３３と左右の縦枠３４を方形状に枠組みしてある。
前記上の窓３０は、その窓枠３１の上枠３２と下枠３３に亘って縦中骨を連結したものでも良いし、左右の窓枠を方立で連結した連窓であっても良い。
なお、前記各窓枠２，３１内には障子、扉などを開閉自在に取付けしたり、ガラスを装着する。
【００１３】
図２に示すように、縦枠５の室内外側方向の中間部５ａと方立１０の室内外側方向の中間部１０ａとの間が縦シール材４０でシールされている。
この縦シール材４０は縦枠５の長手方向全長に亘って取付けてある。
前記縦枠５の室外側寄り部分５ｂと方立１０の室外側寄り部分１０ｂとの間に排水用の縦空間４１を形成している。この室外側寄り部分５ｂ、１０ｂとは縦シール材４０よりも室外側の部分である。この排水用の縦空間４１は前記縦シール材４０でシールされているので、その縦空間４１に流入した雨水等は室内側に流れることはなく、下部から室外側に排水される。例えば、図１に示すように方立１０の下端部に取付けた下部キャップ４２と方立下端面１０ｃとの間から室外側に流出する。
【００１４】
前記縦枠５と方立１０の具体形状を説明する。
前記縦枠５は、図２に示すように室内外側方向に向かう縦板５０の室内外側方向中間部に外向片５１を有し、室外側端部に係止受片５２を有する。
前記方立１０は、方立本体１１と方立カバー１２を備えている。その方立本体１１は室外側端部の横板１３、この横板１３に設けた室外側縦板１４、この各室外側縦板１４に一体的に設けた左右一対の中間縦板１５，１５、この中間縦枠１５に一体的に設けたコ字状部１６を有している。このコ字状部１６と一対の中間縦板１５との間に縦空間１７を形成している。
【００１５】
前記横板１３の左右端部に係止片１８を備え、この係止片１８と前記係止受片５２が係止して縦枠５の室外側端部と方立本体１１の室外側端部が連結される。
前記方立本体１１の一対の中間縦板１５に縦シール材４０をそれぞれ取付け、この縦シール材４０と前記外向片５１が接してシールし、各縦枠５の外向片５１よりも室外側寄り部分１０ｂと、方立本体１１の横板１３、室外側縦板１４、中間縦板１５とで前述の排水用の縦空間４１をそれぞれ形成している。
つまり、外向片５１が前述の室内外側方向の中間部５ａである。
前記縦枠５の室内側寄り部分５ｄと方立本体１１のコ字状部１６がビス５３で固着される。
前記方立カバー１２は方立本体１１のコ字状部１６にスナップ式に係合して取付けられる。
【００１６】
前記排水用の縦空間４１は図３に示すように縦枠５の上端面５ｅまで連続し、その上端面５ｅから上方に開口している。
この左右の縦枠５の上端面５ｅと方立１０の上端面１０ｄは面一で、各上端面５ｅ，１０ｄにおける前記縦空間４１の部分以外に亘って方立シーラー４３を設け、この方立シーラー４３で左右の縦枠５と方立１０との間における前記縦空間４１以外の部分に雨水等が流入しないようにしてある。
この方立シーラー４３は、前述のように縦空間４１の部分には設けてないので、その縦空間４１には雨水等が流入する。
つまり、方立シーラー４３は、左右の縦枠５と方立１０との間における前記縦空間４１以外の部分に雨水等が流入しないようにシールする。
【００１７】
前記シーラー４３の具体形状の一例を説明する。
前記シーラー４３は幅広い室外側シーラー４３ａと幅狭い室内側シーラー４３ｂでＴ字形状で、その室外側シーラー４３ａが左右の縦枠５の上端面５ｅにおける室外側部、方立１０の横板１３、室外側縦板１４の上端面に接し、室内側シーラー４３ｂは方立１０の一対の中間縦板１５の上端面に接している。
これによって、縦板５と横板１３の連結部、一対の中間縦板１５間の縦空間１７の上部をシールして雨水等が流入しないようにしてある。
つまり、この実施の形態では、一対の中間縦板１５間の縦空間１７は縦シール材４０よりも室内側まで連続しているので、その縦空間１７の縦シール材４０よりも室外側部分を方立シーラー４３で閉塞している。
【００１８】
なお、この実施の形態では、縦シール材４０よりも室内側に方立シーラー４３が設けていないが、縦シール材４０よりも室内側にも方立シーラー４３を設けても良い。
また、方立１０が前述の縦空間１７を有しない形状、例えば、室外側縦板１４が室内側まで延長し、その室外側縦板１４に縦シール材４０を取付ける形状の場合には、前述の方立シーラー４３は設けなくとも良い。
【００１９】
図４に示すように、前記無目２０の下面２０ａと上枠３の上面３ａとの間における室内外側方向の中間部に中間部無目水密材４４が設けてある。
この中間部無目水密材４４は左右の縦枠相互の連結部の上部を横切り、左右の上枠３に亘って連続している。この中間部無目水密材４４は前記縦シール材４０と室内外側方向に同一位置で、図３に示すように前述の連結部の上部において中間部無目水密材４４と縦シール材３０が接している。
このようであるから、左右の縦枠相互の連結部の上部と無目２０との間の部分に流入した雨水等は排水用の縦空間４１に流れ落ちる。また上枠３の上面３ａと無目２０の下面２０ａとの間に室外側から入り込んだ雨水等は中間部無目水密材４４によってシールされて室内側に流れることがなく、上枠３の上面３ａに沿って流れ、前述の排水用の縦空間４１に流れ落ちる。
【００２０】
この実施の形態では、上枠３の上面３ａと無目２０の下面２０ａとの間における室外側端部に室外側部無目水密材４５が設けてある。
この室外側部無目水密材４５は前述の左右の縦枠相互の連結部の上部を横切って左右の上枠３に亘って連続している。
この室外側部無目水密材４５は図３に示すように方立シーラー４３の室外側部、つまり室外側部シーラー４３ａに接している。
このようであるから、前述の左右の縦枠相互の連結部の上部と無目２０との間の部分に室外側から雨水等が入り込みづらくなると共に、上枠３の上面３ａと無目２０の下面２０ａとの間に室外側から雨水等が入り込みづらくなる。
【００２１】
図４に示すように、無目２０の上面２０ｂと下枠３３の下面３３ａとの間における室内外側方向の中間部に中間部無目上水密材４６が設けてある。
前記無目２０は無目本体２１と無目カバー２２を備えている。この無目本体２１が上枠３の上面３ａと下枠３３の下面３３ａに接してビス２３で固着され、その無目本体２１の室内側に無目カバー２２が取付けてある。
【００２２】
前述の実施の形態における各上枠、下枠、縦枠は、アルミ押出形材であるが、金属製室外側部材と金属製室内側部材を断熱材で連結した断熱形材としても良いし、アルミ押出形材の室内側部に樹脂形材を取付けた複合形材としても良い。
【００２３】
前述の縦シール材４０、中間部無目水密材４４、室外側部無目水密材４５、中間部無目上水密材４６は乾式であり、工場などで左右の窓枠２、無目２０、上の窓枠３１を組み立て、建築現場まで搬送して取付ける場合に好適である。
【図面の簡単な説明】
【００２４】
【図１】本発明の実施の形態を示す連段窓の概略外観図である。
【図２】図１のＡ−Ａ拡大詳細断面図である。
【図３】連窓の縦枠連結部の平面図である。
【図４】図１のＢ−Ｂ拡大詳細断面図である。
【符号の説明】
【００２５】
１…左右の窓、２…窓枠、３…上枠、３ａ…上面、５…縦枠、５ａ…室内外側方向の中間部、５ｂ…室外側寄り部分、５ｅ…上端面、１０…方立、１０ａ…室内外側方向の中間部、１０ｂ…室外側寄り部分、１０ｄ…上端面、２０…無目、２０ａ…下面、３０…上の窓、３１…窓枠、３３…下枠、４０…縦シール材、４１…排水用の縦空間、４２，４３…方立シーラー、４４…中間部無目水密材、４５…室外側部無目水密材。
【図１】
0004811856.tif 000002
【図２】
0004811856.tif 000003
【図３】
0004811856.tif 000004
【図４】
0004811856.tif 000005